(57)【要約】  電子デバイスを支持するためのシステム及び装置を説明する。そのようなシステム及び装置は、実質的にあらゆる位置に容易に設けられるインタフェースを使用することによって一般的に使用される位置に電子デバイスを位置決めする有意な適応性を提供する。更に、本明細書に説明するシステム及び装置は、幅及び深さ又は厚みを含む広範な電子デバイス寸法に適応可能なクレードルを含む。【選択図】      図１
2018503314.tif 000002
【特許請求の範囲】
【請求項１】
電子デバイスのための支持体であって、
ハウジングの第１の側面上のポケットと前記電子デバイスが位置決めされた該第１の側面とは反対のハウジングの側面上の面とを含むハウジングと、
前記ポケット内に不動に固定された磁石と、
前記ハウジングによってピボット式に支持され、かつ付勢されて前記電子デバイスの縁部に接触するように構成された第１のアームと、
前記ハウジングによってピボット式に支持され、かつ付勢されて前記電子デバイスの反対縁部に接触するように構成された第２のアームと、
前記ハウジングによって移動可能に支持され、かつ前記電子デバイスが該ハウジング上に位置決めされる時に該電子デバイスの厚みと同じである離間距離を移動するように構成された末端ブラケットと、
を含むことを特徴とする支持体。
【請求項２】
前記第１のアーム上に位置決めされ、前記電子デバイスの前記厚みと同じである離間距離を移動するように構成された第１の延長可能支持体を更に含むことを特徴とする請求項１に記載の支持体。
【請求項３】
前記第２のアーム上に位置決めされ、前記電子デバイスの前記厚みと同じである離間距離を移動するように構成された第２の延長可能支持体を更に含むことを特徴とする請求項２に記載の支持体。
【請求項４】
前記ハウジングの上部からの離間距離で該ハウジングの上部部分上に位置決めされたタブと、該離間距離を通してかつ該ハウジングと並んで延びるストラップと、該ストラップ上に位置決めされ、前記磁石にインタフェースで連結するようなサイズ及び寸法にされた金属プレートとを更に含むことを特徴とする請求項１に記載の支持体。
【請求項５】
前記ハウジングは、前記磁石と平行な方向に延びて前記金属プレートの端部を受け入れるように位置決めされた保持器壁を含むように構成されることを特徴とする請求項４に記載の支持体。
【請求項６】
前記ストラップは、首紐に接続されることを特徴とする請求項４に記載の支持体。
【請求項７】
前記ストラップは、前記首紐が通過するようなサイズ及び寸法にされた第１の開口部と該ストラップが通過するようなサイズ及び寸法にされた第２の開口部とを含むバックルによって該首紐に接続することを特徴とする請求項６に記載の支持体。
【請求項８】
前記第２の開口部は、前記第１の開口部よりも小さいことを特徴とする請求項７に記載の支持体。
【請求項９】
電子デバイスのための支持体であって、
前記電子デバイスの第１の縁部に接触するように構成された第１の回転可能アームと、
前記第１の縁部とは異なる前記電子デバイスの第２の縁部に接触するように構成された第２の回転可能アームと、
前記第１の縁部及び前記第２の縁部とは異なる前記電子デバイスの第３の縁部に接触するように構成された末端ブラケットと、
を含むことを特徴とする支持体。
【請求項１０】
前記第１の回転可能アーム上に位置決めされた第１の延長可能部分と、前記第２の回転可能アーム上に位置決めされた第２の延長可能部分とを更に含み、
前記第１の延長可能部分、前記第２の延長可能部分、及び前記末端ブラケットの各々が、前記電子デバイスの厚みの方向に移動可能であるように構成される、
ことを特徴とする請求項９に記載の支持体。
【請求項１１】
前記第１の回転可能アーム、前記第２の回転可能アーム、及び前記末端ブラケットに隣接して位置決めされた第１の面と、該第１の面とは反対の支持体の側面上の第２の面と、該第２の面上に位置決めされた磁石とを更に含むことを特徴とする請求項９に記載の支持体。
【請求項１２】
前記末端ブラケットは、支持体の下端に位置決めされ、
支持体が、前記下端とは反対の上端と、該上端から延び格納可能ケーブルと、該上端内に固定されたコネクタとを含む、
ことを特徴とする請求項９に記載の支持体。
【請求項１３】
ハウジングと該ハウジング内に位置決めされた格納機構とを更に含むことを特徴とする請求項１２に記載の支持体。
【請求項１４】
電子デバイスを支持するためのシステムであって、
ウェアラブル物品と、
前記ウェアラブル物品から延びるストラップと、
前記ストラップの端部上に位置決めされたプレートと、
前記電子デバイスを該電子デバイスの少なくとも２つの対向側面上に支持するように構成され、ハウジングと該ハウジング上に位置決めされた磁石とを含むクレードルであって、前記プレートが、磁力によって該磁石に引き付けられるように構成される前記クレードルと、
を含むことを特徴とするシステム。
【請求項１５】
前記ハウジングの上部上に位置決めされたタブを更に含み、
前記タブは、前記ハウジングから離間距離に位置決めされた一部分を含むように構成され、前記ストラップは、前記プレートが前記磁石の前記位置に隣接して位置決めされるように前記ウェアラブル物品から該タブ部分と該ハウジングの間を該ハウジングの面に沿って延びるように構成される、
ことを特徴とする請求項１４に記載のシステム。
【請求項１６】
前記電子デバイス上のコネクタとインタフェースで連結するように構成された格納可能ケーブルを更に含むことを特徴とする請求項１４に記載のシステム。
【請求項１７】
前記ハウジング上に位置決めされたヘッドホンコネクタを更に含むことを特徴とする請求項１４に記載のシステム。
【請求項１８】
前記プレートは、強磁性材料及び磁石のうちの一方であることを特徴とする請求項１４に記載のシステム。
【請求項１９】
電子デバイスのための支持システムであって、
ウェアラブル物品と、
前記ウェアラブル物品上に形成されたポケットと、
前記ポケット内に位置決めされた第１の磁石と、
前記電子デバイスに固定された第２の磁石であって、該電子デバイスが前記第１の磁石に対する該第２の磁石の磁力によって前記ウェアラブル物品上に支持されるように該ウェアラブル物品上に位置決めされた前記第２の磁石と、
を含むことを特徴とする支持システム。
【請求項２０】
前記第２の磁石は、前記電子デバイスに直接に固定されることを特徴とする請求項１９に記載の支持システム。
【請求項２１】
前記第２の磁石は、前記電子デバイスを保持するように構成されたケースに固定されることを特徴とする請求項２０に記載の支持システム。
【請求項２２】
電子デバイスのための支持システムであって、
互いから反対のハウジングの側面上に位置決めされた少なくとも２つの第１の側面保持器と、ハウジングの端部に位置決めされたハウジング側面と、ハウジングの該端部とは反対のハウジングの端部上に位置決めされた上面保持器とを含むハウジングを含み、
前記２つの側面保持器、前記ハウジング側面、及び前記上面保持器は、前記ハウジング内に前記電子デバイスを固定するように構成される、
ことを特徴とする支持システム。
【請求項２３】
少なくとも２つの第２の側面保持器を更に含み、
１つの第２の側面保持器が、前記ハウジングの前記端部で第１の側面保持器と前記ハウジング側面の間に位置決めされ、該１つの第２の側面保持器とは異なる別の第２の側面保持器が、該ハウジングの該端部で別の第１の側面保持器と該ハウジング側面の間に位置決めされる、
ことを特徴とする請求項２２に記載の支持システム。
【請求項２４】
前記上面保持器は、前記電子デバイスを前記ハウジングから取り外すことを可能にするように移動可能であることを特徴とする請求項２２に記載の支持システム。
【請求項２５】
前記ハウジングは、前記電子デバイスにわたって前記ハウジングの前記側面から延びる底面保持器を更に含むことを特徴とする請求項２２に記載の支持システム。
【請求項２６】
電子デバイスのための支持システムであって、
可撓性かつ伸縮可能な支持ベースと、
上面保持器と、
前記上面保持器からの離間距離に位置決めされ、該離間距離を増大して前記電子デバイスの挿入又は除去を可能にするために前記支持ベースを伸縮させることによって移動可能である底面保持器と、
を含むことを特徴とする支持システム。
【請求項２７】
前記支持ベース上に位置決めされたケーブル格納機構を更に含み、
前記上面保持器は、前記格納機構上に形成される、
ことを特徴とする請求項２６に記載の支持システム。
【請求項２８】
コネクタによって前記格納機構に接続されたイアバッドを更に含み、
前記格納機構から延びるワイヤ上に位置決めされ、前記電子デバイス上のコネクタと嵌合するように構成された第２のコネクタであって、該ワイヤが、該格納機構から延長可能かつ格納可能であり、前記イアバッドが、該格納機構に関して固定される前記第２のコネクタを更に含む、
ことを特徴とする請求項２７に記載の支持システム。
【発明の詳細な説明】
【技術分野】
【０００１】
本発明の開示は、電子デバイスを支持するシステムに関する。
【背景技術】
【０００２】
電子デバイスのための支持システムは、ケース又はカバー及びホルスターを含む。一部のホルスターは、ケース又はカバーを支持するように構成される。
【発明の概要】
【課題を解決するための手段】
【０００３】
本発明の開示は、ハウジングと、磁石と、第１のアームと、第２のアームと、末端ブラケットとを含む電子デバイスのための支持体を提供する。ハウジングは、ハウジングの第１の側面上のポケットと電子デバイスがその上に位置決めされる第１の側面からハウジングの反対側の面とを含む。磁石は、ポケットに不動に固定される。第１のアームは、ハウジングによってピボット式に支持され、かつ電子デバイスの縁部に接触するように付勢されるように構成される。第２のアームは、ハウジングによってピボット式に支持され、かつ電子デバイスの反対縁部に接触するように付勢されるように構成される。末端ブラケットは、ハウジングによって移動可能に支持され、かつ電子デバイスがハウジング上に位置決めされた時に電子デバイスの厚みと同じである離間距離を移動するように構成される。
【０００４】
本発明の開示はまた、第１の回転可能アームと、第２の回転可能アームと、末端ブラケットとを含む電子デバイスのための支持体を提供する。第１の回転可能アームは、電子デバイスの第１の縁部に接触するように構成される。第２の回転可能アームは、第１の縁部とは異なる電子デバイスの第２の縁部に接触するように構成される。末端ブラケットは、第１の縁部及び第２の縁部とは異なる電子デバイスの第３の縁部に接触するように構成される。
【０００５】
本発明の開示はまた、ウェアラブル物品と、ストラップと、プレートと、クレードルとを含む電子デバイスを支持するためのシステムを提供する。ストラップは、ウェアラブル物品から延びる。プレートは、ストラップの端部上に位置決めされる。クレードルは、電子デバイスの少なくとも２つの対向側面上で電子デバイスを支持するように構成される。クレードルは、ハウジング及びハウジング上に位置決めされた磁石を含み、プレートは、磁力によって磁石に引き付けられるように構成される。
【０００６】
本発明の開示はまた、ウェアラブル物品と、ウェアラブル物品上に形成されたポケットと、ポケットに位置決めされた第１の磁石と、電子デバイスに固定された第２の磁石とを含む電子デバイスのための支持システムを提供する。第２の磁石は、電子デバイスが第１の磁石に対する第２の磁石の磁力によってウェアラブル物品上で支持されるようにウェアラブル物品上に位置決めされる。
【０００７】
本発明の開示はまた、ハウジングを含む電子デバイスのための支持システムを提供する。ハウジングは、互いのハウジングの対向側面上に位置決めされた少なくとも２つの第１の側面保持器と、ハウジングの端部上に位置決めされたハウジング側面と、ハウジングの端部とはハウジングの反対端に位置決めされた上面保持器とを含む。２つの側面保持器、ハウジング側面、及び上面保持器は、ハウジング内で電子デバイスを固定するように構成される。
【０００８】
本発明の開示はまた、可撓性かつ伸縮性支持ベースと、上面保持器と、上面保持器から離間距離に位置決めされた底面保持器とを含む電子デバイスのための支持システムを提供する。底面保持器は、支持ベースを伸縮させることによって移動可能であり、離間距離を増加させて電子デバイスの挿入又は除去を可能にする。
【０００９】
本発明の開示の実施形態の利点及び特徴は、添付の図面と併せて見た時に例示的実施形態の以下の詳細説明からより明らかになるであろう。
【図面の簡単な説明】
【００１０】
【図１】本発明の開示の例示的実施形態による支持システムの図である。
【図２】図１の支持システムのクレードルの第１の図である。
【図３】図２のクレードルの第２の図である。
【図４】１つの支持アームの回転移動の後の１つの支持アームを示す図２のクレードルの図である。
【図５】図２−４のクレードルの上面図である。
【図６】図２−５のクレードルの斜視図である。
【図７】本発明の開示の例示的実施形態による図２−６のクレードルのある一定の要素及び電子デバイスの図である。
【図８】図２−６のクレードルの分解斜視図である。
【図９】線９−９に沿った図１のクレードルの様式的断面図である。
【図１０】本発明の開示の別の例示的実施形態によるクレードルの様式的断面図である。
【図１１】本発明の開示の更に別の例示的実施形態によるクレードルの様式的断面図である。
【図１２】本発明の開示の例示的実施形態による図１の支持システムのインタフェース装置の図である。
【図１３】本発明の開示の別の例示的実施形態によるインタフェース装置の図である。
【図１４】本発明の開示の更に別の例示的実施形態によるインタフェース装置の図である。
【図１５】本発明の開示の例示的実施形態による支持システムの一部分の図である。
【図１６】本発明の開示の別の例示的実施形態による支持システムの一部分の図である。
【図１７】本発明の開示の例示的実施形態によるコードインタフェースの図である。
【図１８】図１５及び１６の特徴を組み合わせた支持システムの一部分の図である。
【図１９】本発明の開示の例示的実施形態による支持システムの一部分の図である。
【図２０】本発明の開示の例示的実施形態による支持システムの一部分の図である。
【図２１】小型イアホン又はスピーカ、及び小型イアホンとクレードルの間の延長ケーブルと共に本発明の開示の例示的実施形態による電子デバイスを保持するクレードルの図である。
【図２２】本発明の開示の更に別の例示的実施形態による支持システムの図である。
【図２３】線２３−２３に沿った図２２の支持システムの断面図である。
【図２４】本発明の開示の別の実施形態による支持システムの図である。
【図２５】線２５−２５に沿った図２４の支持システムの断面図である。
【図２６】本発明の開示の更に別の例示的実施形態による支持システムの図である。
【図２７】本発明の開示の更に別の例示的実施形態による支持システムの図である。
【図２８】ウェアラブル物品、クレードル、及び図２６の胸ストラップのバンドインタフェースの間のインタフェースを通した図２７の支持システムの断面図である。
【図２９】本発明の開示の更に別の例示的実施形態による支持システムの一部分の図である。
【図３０】線３０−３０に沿った図２９の支持システムの支持ベースの断面図である。
【図３１Ａ】本発明の開示の例示的実施形態によりオフセット位置で着用者の胸上に位置決めされた支持ベースの図である。
【図３１Ｂ】支持クレードルが位置決めされた図３１Ａの支持ベースの図である。
【図３１Ｃ】電子デバイスが位置決めされた図３１Ｂの支持クレードルの図である。
【図３１Ｄ】本発明の開示の例示的実施形態により中央位置で着用者の胸上に位置決めされた図３１Ａの支持ベースの図である。
【図３１Ｅ】支持クレードルが位置決めされた図３１Ｄの支持ベースの図である。
【図３１Ｆ】電子デバイスが位置決めされた図３１Ｅの支持クレードルの図である。
【図３２】本発明の開示の例示的実施形態による電子デバイスを保持する別の支持システムの斜視図である。
【図３３】本発明の開示の例示的実施形態による更に別の支持システムの図である。
【図３４】図３３の電子デバイスの図である。
【図３５】支持システムの内部特徴を示すために背面カバーが取り除かれた図３３の支持システムの図である。
【図３６】本発明の開示の例示的実施形態による電子デバイスを保持する更に別の支持システムの斜視図である。
【図３７】図３６の支持システムの内部の図である。
【図３８】本発明の開示の例示的実施形態によるクレードルの側面又は縁面図である。
【図３９】図３８のクレードルと嵌合するように構成されたケース及び電子デバイスの側面又は縁面図である。
【図４０】本発明の開示の別の例示的実施形態によるクレードルの側面又は縁面図である。
【図４１】図４０のクレードルと嵌合するように構成されたケース及び電子デバイスの側面又は縁面図である。
【図４２】本発明の開示の例示的実施形態による図４０のクレードルと嵌合するように構成された電子デバイスの側面又は縁面図である。
【図４３】本発明の開示の別の例示的実施形態による支持システムの図である。
【図４４】本発明の開示の例示的実施形態により車両のフロントガラス又はダッシュボードと嵌合するように構成されたベースの図である。
【図４５】本発明の開示の例示的実施形態によるテーブル装着型ベースの図である。
【図４６】本発明の開示の例示的実施形態による壁装着型ベースの図である。
【図４７】本発明の開示の例示的実施形態によるクレードルの図である。
【図４８】支持アームが延ばされた図４７のクレードルの図である。
【図４９】本発明の開示の例示的実施形態による支持システムの一部分の図である。
【図５０】本発明の開示の例示的実施形態による支持システムの一部分の図である。
【図５１】本発明の開示の例示的実施形態による車両に位置決めされた図４９の支持システムの図である。
【図５２】本発明の開示の例示的実施形態によるリーフレットディスペンサの図である。
【図５３】図５２のリーフレットディスペンサの別の図である。
【図５４】図５２のリーフレットディスペンサの別の図である。
【図５５】本発明の開示の例示的実施形態による別のリーフレットディスペンサの図である。
【図５６】図５５のリーフレットディスペンサの別の図である。
【図５７】図５５のリーフレットディスペンサの更に別の図である。
【図５８】本発明の開示の例示的実施形態によるクランプ装置の図である。
【図５９】本発明の開示の例示的実施形態により座席上に位置決めされた図５８のクランプ装置の図である。
【図６０】図５８のクランプ装置の内部の一部分の図である。
【図６１】本発明の開示の例示的実施形態による圧壊構成の図５８のクランプ装置の図である。
【図６２】本発明の開示の例示的実施形態によるクランプ装置の図である。
【図６３】図６２のクランプ装置の別の図である。
【図６４】図６２のクランプ装置の更に別の図である。
【図６５】ストラップ又はベルト上に位置決めされた図６２のクランプ装置の図である。
【図６６】図６２のクランプ装置の別の図である。
【図６７】本発明の開示の例示的実施形態による図６２のクランプ装置とクレードルの図である。
【図６８】本発明の開示の例示的実施形態により第１のウェアラブル物品上に位置決めされた図６２のクランプ装置の図である。
【図６９】本発明の開示の例示的実施形態による第２のウェアラブル物品上の図６２のクランプ装置の図である。
【図７０】本発明の開示の例示的実施形態による第３のウェアラブル物品上の図６２のクランプ装置の図である。
【図７１】本発明の開示の例示的実施形態による支持装置の図である。
【図７２】本発明の開示の例示的実施形態によるクランプの図である。
【図７３】本発明の開示の例示的実施形態によりウェアラブル物品上に位置決めされた図７１の支持装置及び図７２のクランプの図である。
【図７４】本発明の開示の例示的実施形態により図７２のクランプを備えた図１のクレードルの図である。
【図７５】本発明の開示の例示的実施形態による支持システムの図である。
【図７６】図７５の支持システム及び電子デバイスの部分分解図である。
【図７７】着用者の首上に位置決めされた図７５の支持システム及び電子デバイスの図である。
【図７８】作動の第１のモードを示す図７７の支持システムの図である。
【図７９】作動の第２のモードを示す図７７の支持システムの図である。
【図８０】本発明の開示の例示的実施形態による支持システムの図である。
【図８１】支持クレードルを取り除いた図８０の支持システムの図である。
【発明を実施するための形態】
【００１１】
電子デバイスのケースは、様々な方法で電子デバイスを支持するように構成される。ケースは内臓スタンドを含むことができる。そのようなケースのマウントも公知である。しかし、ケースは、１つの特定の電子デバイスと嵌合するように構成され、マウントは扱いにくく、そのようなマウントへの電子デバイスの挿入は、両手と器用さが要求される可能性がある。本発明の開示は、電子デバイスを支持するためのシステム及び装置を説明する。そのようなシステム及び装置は、実質的にあらゆる位置に容易に提供されるインタフェースを使用することによって一般的に使用される位置に電子デバイスを位置決めするための有意な適応性を提供する。更に、本明細書に説明するシステム及び装置は、幅及び深さ又は厚みを含む様々な電子デバイスの寸法に適応可能なクレードルを含み、電子デバイスを容易に挿入及び除去するようになった構造設計及びアームによって及び構造のバネによって片手を使用して電子デバイスを挿入することができる。電子デバイスは、あらゆる電気デバイス又は電子デバイスを含み、一例として、セルラー電話又はあらゆる電話、ラジオ、ＧＰＳ、カメラ、ディスプレイ、無線デバイス、Ｂｌｕｅｔｏｏｔｈ（登録商標）デバイス、プロセッサ、コントローラ、メモリデバイス、コンピュータ、タブレット、ヘルスモニタリングデバイス、クロック又はあらゆる時計デバイス、双方向ラジオ、音声デバイス、ボイスレコーダ、赤外線画像デバイス、ラジオ反射システム、テレビジョン、あらゆるタッチスクリーンデバイスなどを含む。
【００１２】
図１−９及び１２は、本発明の開示の例示的実施形態による支持システム１０の図である。支持システム１０は、ウェアラブル物品１２、インタフェース部分１４、及びクレードル１６を含む。図１に示すように、クレードル１６は、電子デバイス１８を支持している。
【００１３】
図１の例示的実施形態において、ウェアラブル物品１２は、ユーザの首で支持することができる首紐として構成される。インタフェース部分１４は、ウェアラブル物品１２とクレードル１６の間を延びている。図１及び１２の例示的実施形態において、インタフェース部分１４は、バックル２０、プレート２２、及びバックル２０からプレート２２まで延びるストラップ２４を含む。
【００１４】
着用者が快適であるように、首紐１２は、着用者の首に広い支持区域を提供するように構成された第１の幅を含む。そのような第１の幅は、以下に詳しく説明する要素に形成される第１の開口部２６の幅とすることができる。細いコードをウェアラブル物品として使用することができること及びこのコードは小さい寸法を有することができることを理解しなければならない。そのようなコードを以下に詳しく説明する。広く平らな首紐をウェアラブル物品として使用することができること及びこの首紐が大きい範囲の寸法を有することができることも理解しなければならない。そのような第１の幅は、例えば、約１．５ｍｍから約１５０ｍｍとすることができ、約５ｍｍから約３５ｍｍが好ましく、最も好ましいのは約１２ｍｍから約２６ｍｍである。更に最も好ましい第１の幅は、１．５ｍｍに等しいか又はそれよりも大きいものから１５０ｍｍに等しいか又はそれ未満のものに及ぶ寸法を有することができる。
【００１５】
バックル２０は、アダプタ、ストラップインタフェース、又は首紐インタフェースとしても説明することができる。バックル２０は、第１の開口部２６及び第２の開口部２８を含む。第１の開口部２６は、首紐１２の第１の幅よりも大きいことが好ましい第１の開口部幅を用いて構成される。第１の開口部２６は、着用者が動いて重力がインタフェース部分１４及びクレードル１６を引く場合に、首紐１２に沿った又はこれに対するインタフェース部分１４及び従ってクレードル１６の動きを可能にするように構成される。従って、第１の開口部２６は、重力に引っ張られて首紐１２に沿ってインタフェース部分１４が首紐１２に沿った最低位置に摺動して移動することを可能にする。第２の開口部２８は、ストラップ２４の幅よりも大きいが、第１の開口部幅２６よりもかなり小さいようなサイズかつ寸法にされた第２の開口部幅を用いて構成される。例えば、首紐１２が１インチ幅である場合は第１の開口部幅を約１．１インチにすることができ、ストラップ２４が０．３７３インチ幅である場合は第２の開口部幅を約０．５インチにすることができる。第１の開口部幅を１．５ｍｍから１５ｍｍの範囲にすることができること及び第２の開口部幅を１．０ｍｍから１２０ｍｍの範囲にすることができることを理解しなければならない。第１の開口部２６を第２の開口部２８の幅よりも小さいか又は等しい第１の開口部幅を用いて構成することができることも理解しなければならない。例示的実施形態は、第１の開口部２６によって支持される細いコード及び第２の開口部２８によって支持されるストラップを含む。以下に詳しく説明する図１９に示すように、ストラップ２４に首紐を固定するバックル２０は、散らばったピースで置換されることも理解しなければならない。ウェアラブル物品（例えば、首紐１２）をストラップ２４に接続する以下に詳しく説明するファスナ３８は、糸、リベット、ヒートステーキング、ネジ、圧着、スナップ、又は他の適切なファスナを含むことができることを更に理解しなければならない。
【００１６】
第１の開口部２６及び第２の開口部２８の両方は、首紐１２及びストラップ２４それぞれの厚みに基づく高さ又は厚みを有する。例えば、首紐１２が約０．０６インチの厚みである場合に、第１の開口部２６は、第１の開口部２６に首紐１２を通じてバックル２０が首紐１２に沿って容易に摺動することができるような約０．２インチの高さ又は厚みとすることができる。第２の開口部２８の高さ又は厚みは、バックル２０へのストラップ２４の組立てを容易にしてストラップ２４がバックル２０に対してピボット式に又は前後に移動するように構成される。第１の開口部２６の好ましい高さ又は厚みは、２５ｍｍに等しいか又はそれ未満であり、好ましくは１２ｍｍに等しいか又はそれ未満であり、より好ましくは７ｍｍに等しいか又はそれ未満であり、最も好ましくは５ｍｍに等しいか又はそれ未満である。第２の開口部２８の好ましい高さ又は厚みは、１５ｍｍに等しいか又はそれ未満であり、好ましくは７ｍｍに等しいか未満であり、より好ましくは５ｍｍに等しいか又はそれ未満であり、最も好ましくは３ｍｍに等しいか又はそれ未満である。代替実施形態は、バックル２０の構成と比較して、１つの開口部を首紐１２とストラップ２４の両方が通るように、１つの開口部だけを有するバックルを含むことを理解しなければならない。代替実施形態は、２よりも多い開口部を有するバックルを含むことができることを更に理解しなければならない。
【００１７】
プレート２２は、第２の開口部２８と類似の寸法にすることができるプレート開口部３０を含むように構成される。しかし、ストラップ２４に対するプレート２２のピボット回転がストラップ２４に対するプレート２２の向きにのみ望ましいので、プレート開口部３０の厚み又は高さは、第２の開口部２８の厚み又は高さよりも小さくすることができる。例えば、ストラップ２４の厚みが約０．０６インチの厚みである場合に、プレート開口部３０は、ストラップ２４の厚みよりも僅かに厚くするだけでよく、例えば、０．０７インチの厚みである。しかし、製造し易いように、プレート開口部３０は、ストラップ２４よりも約０．０５インチ厚くすることができる。ストラップ２４の好ましい厚みは、１５ｍｍに等しいか又はそれ未満であり、好ましくは７ｍｍに等しいか又はそれ未満であり、より好ましくは３ｍｍに等しいか又はそれ未満であり、最も好ましくは１．５ｍｍに等しいか又はそれ未満である。プレート開口部３０は、ストラップ２４よりも５ｍｍから１０ｍｍ厚くすることが好ましく、より好ましくはストラップ２４よりも２から５ｍｍ厚くすることができ、最も好ましくはストラップ２４よりも１ｍｍから２ｍｍ厚くすることができる。
【００１８】
ストラップ２４は、クレードル１６が電子デバイス１８のような支持される電子デバイスと共にバックル２０のすぐ下に位置するようなサイズ及び寸法にされる。一部の例示的実施形態において、ストラップ２４の長さを２から６センチメートルの範囲とすることができる。ストラップ２４の好ましい長さは、２５センチメートルに等しいか又はそれ未満であり、好ましくは１２センチメートルに等しいか又はそれ未満であり、より好ましくは６センチメートルに等しいか又はそれ未満であり、最も好ましくは３センチメートルに等しいか又はそれ未満である。ストラップ２４は、バックル２０とプレート２２の間を延び、製造中に第２の開口部２８とプレート開口部３０を通ってループ又は延長される。ストラップ２４は、第１のループ部分３２及び第２のループ部分３４を含む。しかし、ストラップ２４の２つの端部が互いに縫われ、従って、ストラップ２４は円形構成を含むことができることを理解しなければならない。ストラップ２４の第１のループ部分３２は、第２の開口部２８を通って延び、ストラップ２４の本体部分３６のすぐ隣にそれに沿って位置決めされ、ファスナ３８によって本体部分３６に固定される。ファスナ３８は、糸、リベット、ヒートステーキング、ネジ、圧着、スナップ、又は他の適切なファスナとすることができる。ストラップ２４の第２のループ部分３４はプレート開口部３０を通って延び、ストラップ２４の本体部分３６のすぐ隣にそれに沿って位置決めされ、ファスナ４０によって本体部分３６に固定される。ファスナ４０は、ファスナ３８と同一にすることができ、又は異なるタイプのファスナにすることができる。例えば、ファスナ４０は、リベット又は縫い糸のような着脱不能なファスナとすることができ、ファスナ３８はスナップのような着脱可能なファスナにしてストラップ２４の交換を可能にすることができる。
【００１９】
プレート２２は、強磁性材料、又は希土類磁石を含む磁石のいずれかである。プレート２２が強磁性材料である場合に、プレート２２の厚みは、材料の構造的一体性、及び予想される環境でインタフェース部分１４及びクレードル１６を確実に支持する性能に十分であるだけでよい。例えば、プレート２２が強磁性体である場合はプレート２２を約０．０５インチの厚みにすることができ、プレート２２が希土類磁石である場合は約０．０６インチの厚みにすることができる。これらの寸法は例にすぎず、実際の厚みは、薄いもの及び厚いものを含む列挙されたものから外れる場合もある。
【００２０】
クレードル１６は、例えば、図２−４に示すようにハウジング４２及びハウジングカバー４４を含むように構成される。ハウジング４２とハウジングカバー４４の間には、摺動可能又は延長可能な末端ブラケット３６が位置決めされ、圧縮バネ４８が末端ブラケット４６とハウジングカバー４４の間に位置決めされ、第１のウィング又はアーム５０がハウジング４２とハウジングカバー４４の間にピボット式に位置決めされ、第２のウィング又はアーム５６がハウジング４２とハウジングカバー４４の間にピボット式に位置決めされる。クレードル１６は、更に、第１のアーム５０上で摺動可能又は延長可能に位置決めされた第１の延長可能支持体５２、第１の延長可能支持体５２及び第１のアーム５０に取り付けられた第１の延長バネ５４、第２のアーム５６に摺動可能又は延長可能に位置決めされた第２の延長可能支持体５８、第２の延長可能支持体５８及び第２のアーム５６に取り付けられた第２の延長バネ６０を更に含む。第３の延長バネ６２は、第１のアーム５０及び第２のアーム５６に取り付けられる。
【００２１】
図８に示すように、第１のアーム５０及び第２のアーム５６の各々は、ハウジング４２及びカバー４４のうちの一方にインタフェースで連結するピボット６４を含む。図８の例示的実施形態において、ピボット６４は、ハウジング４２内の嵌合ピボット（図示せず）にインタフェースで連結する。ピボット６４は、第１のアーム５０及び第２のアーム５６が回転的に移動するように構成され、それによって第１の延長可能支持体５２及び第２の延長可能支持体５８は、第１の延長可能支持体５２及び第２の延長可能支持体５８と係合する電子デバイスの力によって互いから離れる。第１のアーム５０及び第２のアーム５６の各々が独立に移動可能であることは明らかなはずである。第３の延長バネ６２は、第１のアーム５０及び第２のアーム５６に復元又は付勢力を与え、以下に詳しく説明するように、電子デバイスに接触した第１のアーム５０及び第２のアーム５６がクレードル１６上に装着されたままにする。
【００２２】
末端ブラケット４６は係合部分６６を含む。係合部分６６は、ハウジングカバー４４の外面６８に平行な面に対して外面６８から離れる方向にある角度に向けられる。
【００２３】
第１の延長可能支持体５２は、ハウジングカバー４４の面６８に実質的に垂直に向いた第１の傾斜面７０を含む。第１の傾斜面７０は、第１の傾斜面７０の第１の端部７６が第１の傾斜面７０の第２の端部７８に比べて末端ブラケット４６から離れ、第１の傾斜面７０の第２の端部７８と比べてクレードル１６の中心線７４から離れるように向けられる。第１の延長可能支持体５２はまた、第３の端部８０及び第４の端部８２を含む第２の傾斜面７２を含み、第４の端部８２は第３の端部８０よりも端部ブラケット４６から離れている。クレードル１６が組み立てられた時に、第４の端部８２が第３の端部８０よりもハウジングカバー４４の外面６８から離れるように、第２の傾斜面７２に角度が付けられる。
【００２４】
第２の延長可能支持体５８は、ハウジングカバー４４の面６８に実質的に垂直に向けられた第３の傾斜面８４を含む。第３の傾斜面８４は、第３の傾斜面８４の第２の端部９０と比較して末端ブラケット４６から離れる第３の傾斜面８４の第１の端部８８が第３の傾斜面８４の第２の端部９０に比べてクレードル１６の中心線７４から離れるように向けられる。第２の延長可能支持体５８はまた、第３の端部９２及び第４の端部９４を含む第４の傾斜面８６を含み、第４の端部９４は第３の端部９２よりも末端ブラケット４６から離れている。クレードル１６が組み立てられた時に、第４の端部９４が第３の端部９２よりもハウジングカバー４４の外面６８から離れるように、第４の傾斜面８６に角度を付けられる。
【００２５】
クレードル１６は磁石９８を更に含み、ハウジング４２は、磁石９８を受け入れるようなサイズ及び寸法にされたポケット又は凹部９６を更に含む。ポケット９６の周囲に、以下に詳しく説明するように、プレート２２の位置決めを助けるようなサイズ及び寸法にされた複数の壁１００がある場合がある。ハウジング４２は、プレート２２の一端を固定する一体型保持器又は保持器壁１０２を更に含むことができる。磁石９８はハウジング４２にインサート成形することができ、接着剤によってハウジング４２内に固定することができ、又はファスナ又は固定機構（図示せず）などによってハウジング４２内に機械的に固定することができる。
【００２６】
ハウジング４２の上部１０６にはタブ１０４がある。タブ１０４は、位置決め器、耳、延長部、又は他の言葉として説明することができる。タブ１０４は上部１０６から延びてハウジング４２の上部とほぼ平行になる。タブ１０４が上部１０６から延びるタブ１０４の反対端には、上部１０６に向けてタブ１０４から延びる突起１０８がある。タブ１０４は、上部１０６とのタブ１０４の接続部と突起１０８の間のタブ１０４の領域１１０における上部１０６からの第１の離間距離に位置決めされる。突起１０８はまた、上部１０６から第２の離間距離に位置決めされるが、上部１０６と突起１０８の間の第２の離間距離は、領域１１０と上部１０６の間の第１の離間距離よりも小さい。以下に詳しく説明するように、突起１０８は、領域１１０と上部１０６の間の離間距離にストラップ３４を固定することを助ける。代替実施形態において、タブ１０４を弧形、ループ形、半円形などを含むように構成することができ、タブ１０４の端部の１つが取り除かれ、第２の端部は、上部１０６のような面に取り付けたままにして、それによって端部の１つに開口部を生成することを理解しなければならない。
【００２７】
クレードル１６はまた、雌イアバッド、イアホン、又はスピーカジャック又はコネクタ１１４を含み、図５の例示的実施形態において、ハウジング４２の上部１０６に位置決めされる。クレードル１６は、更に、図５の例示的実施形態においてハウジング４２の上部１０６にも位置決めされる雄イアバッド、イアホン、又はスピーカジャック１１６を含む。更に、クレードル１６は、図８の例示的実施形態においてハウジングカバー４４の一部として形成されるシリンダ１１２を含む。シリンダ１１２は、格納可能又は延長可能なケーブル１１８を備えたスプール１２６のような格納機構又は装置を支持するように構成される。コネクタ１１４は、固定された長さ、すなわち、後退式でないケーブル又はワイヤ１１３により、スプール１２６に取り付けられる。雄コネクタ１１６は、格納機構の周りに巻かれたワイヤ１１８によって電子デバイス１８の雌コネクタ１２８に接続される。図１に示す電子デバイス１８のような電子デバイスがクレードル１６上に位置決めされた時に、雄イアホンコネクタがクレードル１６から後退し、電子デバイス１８に位置決めされた嵌合コネクタに接続される。更に、イアバッド、イアホン、又はスピーカ１２２は、ワイヤ１２０によって雌コネクタ１１４に接続することができる。イアバッド、イアホン、又はスピーカ１２２は、更に、電子デバイス１８のオフセット位置のための異なる長さの第１のワイヤ１２５及び第２のワイヤ１２７を含むことができる。
【００２８】
図１−９及び１２の実施形態の構成の１つの利益は、ワイヤ１１８をクレードル１６から延ばすことができるのでイアバッド１２２への電気接続を維持しながら電子デバイス１８をクレードル１６から取り除けるということである。電子デバイス１８をクレードル１６に戻すために、クレードル１６に電子デバイス１８を再位置決めしながらワイヤ１１８がクレードル１６内に後退する。
【００２９】
ワイヤ又はケーブル１１８が雌コネクタを含むことができ、かつワイヤ又はケーブル又はワイヤ１１３が雄コネクタ（図示せず）を含むことができることを理解しなければならない。図１−９及び１２の実施形態とは対照的に、図７５及び７７−７９の実施形態は、以下に詳しく説明する中心に位置決めされたスプール６９８から同じ長さを有する右イアホン及び左イアホンの右ワイヤ及び左ワイヤを示し、イアホンコードがユーザの前に位置決めされる。
【００３０】
クレードル１６は以下のように作動する。クレードル１６上に電子デバイスが装着又は位置決めされていなければ、第１のアーム５０及び第２のアーム５６は、例えば、図２及び３に示すように、最小離間距離に互いに向けて引き付けられる。更に、末端ブラケット４６、第１の延長可能支持体５２、及び第２の延長可能支持体６０は全て、図２及び３に示すように完全に後退する。電子デバイス１８のような電子デバイスがクレードル１６に挿入された時に、電子デバイス１８の反対側面又は縁部がまず第１の傾斜面７０、第２の傾斜面７２、第３の傾斜面８４、及び第４の傾斜面８６と係合する。電子デバイス１８がこれらの面と係合した場合に、第１の延長可能支持体５２及び第２の延長可能支持体５８が、電子デバイス１８の厚みと同じ離間距離だけハウジングカバー４４の面６８から外向きに又は離れて動き、電子デバイス１８が、第１の延長バネ５４及び第２の延長バネ６０それぞれを延ばしながら第１の延長可能支持体５２及び第２の延長可能支持体５８にインタフェースで連結する。例示的実施形態において、第１の延長可能支持体５２及び第２の延長可能支持体５８は、２ミリメートルから約２０ミリメートルの範囲、より好ましくは３ミリメートルから約１６ミリメートルの範囲、より好ましくは４ミリメートルから約１４ミリメートルの範囲、及び最も好ましくは５ミリメートルから約１２ミリメートルの範囲の厚みを受け入れるように構成される。第１の延長可能支持体５２が完全に後退し、第２の延長可能支持体５８が延長位置にあるように図５に示されている。ケーブル又はワイヤ１１８の好ましい長さは、１４０ｃｍに等しいか又はそれ未満であり、より好ましくは１００ｃｍに等しいか又はそれ未満であり、より好ましくは７０ｃｍに等しいか又はそれ未満であり、最も好ましくは５０ｃｍに等しいか又はそれ未満である。ワイヤ又はケーブル１１３の好ましい長さは４０ｃｍに等しいか又はそれ未満であり、より好ましくは２０ｃｍに等しいか又はそれ未満であり、より好ましくは１０ｃｍに等しいか又はそれ未満であり、最も好ましくは６ｃｍに等しいか又はそれ未満である。
【００３１】
面７０、７２、８４、及び８６に電子デバイス１８が係合することで、第３の延長バネ６２が延ばされて第１のアーム５０及び第２のアーム５６を互いから引き離すようになる。従って、第１の延長可能支持体５２、第２の延長可能支持体５８、第１のアーム５０、及び第２のアーム５６は、電子デバイス１８の幅及び厚みに自動的に調節される。更に、第１の延長バネ５４、第２の延長バネ６０、及び第３の延長バネ６２における張力は、電子デバイス１８に対して面７０、７２、８４、及び８６に力を加えることを助け、クレードル１６への電子デバイス１８の位置決めを助ける。例示的実施形態において、第１のアーム５０及び第２のアーム５６は、約２０度まで回転するように構成され、４０ミリメートルから約４００ミリメートルの範囲、より好ましくは６０ミリメートルから約２５０ミリメートルの範囲、より好ましくは７０ミリメートルから約１５０ミリメートルの範囲、及び最も好ましくは５０ミリメートルから約９０ミリメートルの範囲の幅で電子デバイス１８に適応することができる。例示的実施形態において、第１のアーム５０及び第２のアーム５６の各々は、好ましくは約１２０度まで回転するように構成され、より好ましくは約５０度まで回転するように構成され、最も好ましくは約３０度まで回転するように構成される。しかし、本明細書に説明した他の寸法と同様にこれらの寸法及び回転は、当業者によって理解されるように適切な設計によって調節可能である。
【００３２】
電子デバイス１８が末端ブラケット４６の傾斜又は面取り係合部分６６に接触するまで、電子デバイス１８は、電子デバイス１８を少なくとも部分的に支持するハウジングカバー４４の面６８に沿って長手方向に押され、又は摺動される。電子デバイス１８が末端ブラケット４６に押し込まれた場合に、末端ブラケット４６は、電子デバイス１８の厚みと同じ離間距離だけ面６８から延び、電子デバイス１８が圧縮バネ４８を締結するか又は押圧しながら末端ブラケット４６にインタフェースで連結する。例示的実施形態において、末端ブラケット４６は、２から２０ミリメートルの範囲の電子デバイス１８の厚みを受け入れるように構成される。電子デバイス１８の厚みを受け入れるための末端ブラケット４６の好ましい構成（及びこの結果として完全に後退かつ完全に延ばされた時の末端ブラケット４６の寸法）は、２ミリメートルから約２０ミリメートルの範囲であり、より好ましくは３ミリメートルから約１２ミリメートルの範囲であり、より好ましくは４ミリメートルから約１０ミリメートルの範囲であり、最も好ましくは５ミリメートルから約９ミリメートルの範囲である。末端ブラケット４６にかかる圧縮バネ４８の力は、電子デバイス１８に対する力を提供し、第１の延長可能支持体５２、第２の延長可能支持体５８、第１のアーム５０、及び第２のアーム５６によって与えられた力が、クレードル１６に電子デバイス１８を固定することを助ける。末端ブラケット４６は、典型的に下向きの位置に向けられ、従って、重力がクレードル１６に電子デバイス１８を固定することを助けることに注意されたい。
【００３３】
実際に、バネ４８、５４、６０、及び６２の力及び面７０、７２、８４、及び８６の構成は、クレードル１６が支持される限り電子デバイス１８を片方の手でクレードル１６上に位置決めすることができ、そのような支持が、以下に詳しく説明するように平らな面又はマウントであるようなものである。
【００３４】
電子デバイス１８がクレードル１６上に位置決めされた後に、ストラップ２４をハウジング４２のタブ１０４と上部１０６の間に位置決めすることができる。ストラップ２４は、クレードル１６と電子デバイス１８の重みによって発生するストラップ２４にかかる張力によってこの位置に留まることを助けられる。重力によって生じた張力に加えて、突起１０８が、タブ１０４の領域１１０と上部１０６の間の第１の離間距離にストラップ２４の位置を維持することを助ける。
【００３５】
クレードル１６から電子デバイス１８を取り除くためには、末端ブラケット４６から面６８に沿って電子デバイス１８を摺動させるだけでよい。コネクタ１１６が電子デバイス１８に固定されている場合に、ワイヤ１１８がクレードル１６から延びている。クレードル１６からの完全な切断が望ましい場合に、クレードル１６から電子デバイス１８を取り除く前又は後のいずれかにコネクタ１１６を電子デバイス１８から切断することができる。
【００３６】
クレードル１６は、プレート２２又は図１に示すように壁１００内に適合するようなかつ磁石９８に嵌合するようなサイズ及び寸法にされた同等に構成されたプレートとインタフェースで連結することにより、磁石９８、ポケット９６、及び壁１００によってデバイス、装置、マウント、ウェアラブル物品などのアレイに取り付けることができる。プレート２２と磁石９８の間にインタフェースを提供するために、プレート２２の第１の端部１２４は、第１の端部１２４が保持器壁１０２と磁石９８の間に位置決めされるまで磁石９８に沿って摺動される。そのような位置決めは、磁石９８に対してある角度にプレート２２を保った状態で達成することができる。プレート２２は、磁石９８に引き付けられるように注意深く解除され、クレードル１６をプレート２２に固定する。プレート２２が図１に示す首紐１２のようなウェアラブル物品に固定された場合に、クレードル１６は、磁石９８へのプレート２２の磁力によって首紐１２に固定される。
【００３７】
図９に示すように、プレート２２がポケット９６に位置決めされた時に、ストラップ３４は、プレート２２の一部と磁石９８の間に位置決めされ、従って、プレート２２を磁石９８から少し離間させて離す。ハウジング４２がハウジング４２の内部の切断線によって中身が詰まったように示されていることに注意されたい。実際には、ハウジング４２は、単純かつ明確にするために切断線によって置換される多数の特徴を含有する。そのような単純化は図１０及び１１で繰り返される。クレードル１６が衣服の一部に固定された時に、別の面が追加され、面（例えば、シャツの繊維）がプレート２２の上部に位置決めされかつ繊維がプレート２２と繊維の他の側面に位置決めされた強磁性体材料との間に挟み込まれる。
【００３８】
プレートと磁石９８の間の接触を改善することができる。図１０は、本発明の開示の別の例示的実施形態によるクレードル１３０の様式的断面図である。この実施形態において、プレート１３２は、ストラップ２４のための空間又は間隙１３６を提供する傾斜部分１３４を含む。従って、この実施形態におけるストラップ２４は、プレート１３２と磁石９８の間のプレート１３２の長さに沿った間隙を形成しない。図９は、本発明の開示の更に別の例示的実施形態によるクレードル１４０の様式的断面図である。この実施形態において、クレードル１４０は、凹部１４６が形成されるハウジング１４２を含む。凹部１４６は、ストラップ２４のための間隙を提供し、プレート２２は、磁石９８よりも短くすることができる磁石１４４に直接留まるようにし、ストラップ２４のための間隙を提供することを助ける。プレート２２は、プレート２２の残りよりも薄い区域を有することができ、この薄い区域は、ストラップ２４を受け入れる区域であり、この薄い区域は、ストラップ２４と同じ厚みを有することが好ましいことを理解しなければならない。
【００３９】
上述のように、ウェアラブル物品又は首紐１２は、着用者が快適であるように第１の幅で構成することができ、ストラップ２４は第２の狭い幅を有する。図１に示すインタフェース部分１４は、広い首紐１２を狭いストラップ２４にインタフェースで連結するための１つの構成である。図１３は、本発明の開示の例示的実施形態によるインタフェース装置１５０の図である。インタフェース装置１５０は、第１のバックル１５２、第２のバックル１５４、及び中間ストラップ１５６を含む。第１のバックル１５２は、中間ストラップ１５６と首紐１２の間に位置決めされる。第２のバックル１５４は、中間ストラップ１５６とプレート２２にインタフェースで連結するストラップとの間に位置決めされる。プレート２２にインタフェースで連結するストラップは、ストラップ２４に類似又は同一とすることができる。
【００４０】
図１４は、本発明の開示の更に別の実施形態によるインタフェース装置１６０の図である。インタフェース装置１６０は、首紐、ネックレス、又はウェアラブル物品１６２、バックルレシーバ１６４、バックル１６６、プレート１６８、及びバックル１６６とプレート１６８の間を延びるストラップ１７０を含む。
【００４１】
バックルレシーバ１６４は、首紐１６２に圧着、ヒートステーキング、又は別の方式で締結することができる。バックル１６６は、ストラップ１７０に圧着、ヒートステーキング、又は別の方式で締結することができる。インタフェース装置１４と同様に、首紐１６２は、首紐１２と類似の寸法にすることができ、ストラップ１７０をストラップ２４と類似の寸法にすることができる。従って、ストラップ１７０は、首紐１６２に比べて相対的に狭くすることができる。プレート１６８は、プレート開口部１７２を含み、プレート開口部１７２を通ってストラップ１７０が延び、ストラップ１７０のループ部分１７４がバックル１６６に向けて戻る。ストラップ１７０のループ部分１７４は、ファスナ１７６によってストラップ１７０に取り付けることができ、又はループ部分１７４をファスナ（図示せず）によってバックル１６６に取り付けることができる。ファスナ１７６は、例えば、リベット、スナップ、圧着、ヒートステーキング、衣服の縫い糸、ネジのようなネジ切りのファスナとすることができる。
【００４２】
インタフェース装置１６０の構成の１つの利益は、首紐１６２からインタフェース装置１６０を容易に取り外せることである。クレードル１６のようなクレードルを本明細書の他の箇所で説明するものに類似の方式でプレート１６８から取り除くことができ、一部の状況では、クレードル１６をインタフェース装置１６０に取り付けたままにして、首紐１６２から、クレードル１６、インタフェース装置１６０、及び電子デバイス１８のような電子デバイスを取り除くことが有利である場合もある。
【００４３】
図１５は、明確及び単純にするためにクレードルを取り除いた状態の本発明の開示の例示的実施形態による支持システム１８０の一部分の図である。支持システム１８０は、ストラップ、首紐又はネックレス１８２、インタフェース装置１８４、及び着用者の首に対してクッション又は支持を提供するための首パッド１８６を含む。首紐１８２は、着用者に位置決めされた時に首紐１８２の長さを変えることができるように位置決めされる第１のバックル１８８を更に含むことができる。更に、首紐１８２は、バックルレシーバ１９０、及び第２のバックル１９２を含むことができ、この両方は、一般的に第１のバックル１８８とは反対側の首紐１８２の側面に位置決めすることができる。バックルレシーバ１９０及び第２のバックル１９２は、ヒートステーキング、圧着、又は他のファスナによって首紐１８２に取り付けることができる。インタフェース装置１８４は、本明細書に示す他の実施形態に開示するものとすることができ、又はプレート２２を支持するように構成された単純なストラップループ１９４とすることができる。図１３の構成は、首紐１８２の長さを着用者の要求に従って設定することができ、かつバックル１９２をバックルレシーバ１９０から除去することによって着用者の首の回りから支持システム１８０を外す間も長さを維持することができるので有利である。プレート２２を支持するように構成された単純なストラップループ１９４が、目立たないような方法で重力によってクレードル１６を中心に置く利点を提供することを理解しなければならない。バックルレシーバ１９０及びバックル１９２は、ネックレス１８２を開けたり閉じたりすることを可能にし、それによってネックレス１８２の長さがバックル１８８を使用して調節される度にネックレス１８２の長さを固定長に維持することができる。着用者又はユーザがネックレス又は首紐１８２を装着したい時に、ユーザはバックルを開け、首の回りにネックレス１８２を着け、ネックレス１８２を固定するためにバックル１９２をバックルレシーバ１９０に挿入する。着用者がネックレス１８２を取り外したい時は、ユーザは単純にバックルレシーバ１９０からバックル１９２を除く。ユーザが心臓又は心臓の周りにかつ胸骨の端部周りに位置決めするように長さを調節する時に、長さはユーザに対して固定されたままである。
【００４４】
心臓周辺又は胸骨の下端近くにクレードル１６を位置決めするようにネックレス１８２（又は本発明の開示のあらゆる首紐）の特別な長さを有する利点は、電子デバイスの放射線の影響を防ぐことである。なぜ人は心臓の癌について聞くことがないのか？この理由は、心臓の細胞が癌及び癌を引き起こす放射線の影響に抵抗性があるからである。本発明の開示で説明するシステムは、放射線の影響に最も抵抗性がある身体の部位へのクレードル１６の専用位置決めを可能にし、ユーザが携帯電話のような電子デバイス１８を安全に使用して装着することを可能にする。放射線に抵抗性のある他の好ましい部位は、肺の先端上部の肩領域、後頭骨の高さの頭部の後ろ、及び前記領域の両方であり、心臓領域に加えて、本発明の開示の方法の一部であり、この方法は、身体に電子デバイスを位置決めする領域を開示している。横隔膜の下の内臓の多くが、高分裂活動を有する細胞によって特徴付けられ、絶えず分割する細胞は、避けなくてはならず、放射性のデバイスをそのような領域に置いてはならない。同様に、胸部リンパ腺及び肺の組織のような頻繁に分割する横隔膜の上の身体のいずれの領域も避けなくてはならず、放射性のデバイスをそのような領域に置いてはならない。大腸、直腸、消化管、膵臓、肝臓、生殖器、腎臓、及び尿路は、放射線に露出された時に癌のリスクが高まる領域であり、この領域は、本発明の開示に開示する方法及びデバイスによって避けられる。耳の三半規管又はこの隣にいずれの放射性デバイスを配置することも、脳の直接放射を引き起こすので避けなければならないが、それは、本発明の開示の発明によって達成することができる。体の他の部位に位置決めされた携帯電話からの信号を受け入れる耳の無線デバイスの使用は、三重放射リスクを引き起こすことがあり、これは、携帯電話からの放射が、受話口に達するために身体を通って伝達されるからである。三重放射リスクは、１）携帯電話、例えば、全ての隣接する内臓、すなわち、大腸、直腸、膀胱、腎臓、男性の前立腺、及び女性の卵巣／子宮、更に左の膵臓及び右の肝臓に照射するバックポケットの携帯電話、２）受話口、脳に照射する受話口、及び３）横断放射、横隔膜の下及び上の全ての内臓に影響を与える下腹部（バックポケットの携帯電話）から頭部（受話口）までの身体全体に延びる放射を含む。
【００４５】
図１６は、説明を明確及び単純にするためにクレードルを取り除いた本発明の開示の別の例示的実施形態による支持システム２００の一部分の図である。支持システム２００は、首パッド１８６、第１のコード２０２、第２のコード２０４、インタフェース装置２０６、バックル２０８、バックルレシーバ２１０、第１のロック２１２、第２のロック２１４、第１の末端キャップ２１６、及び第２の末端キャップ２１８を含む。第１のロック２１２は、第１の解除ボタン２３２を含み、第２のロック２１４は、第２の解除ボタン２３４を含む。インタフェース装置２０６は、インタフェースプレート２２０、プレート２２２、及びプレート２２２をインタフェースプレート２２０に接続するように構成されたストラップ２２４を含む。インタフェースプレート２２０は、第１の穴又は開口部２２６、第１の穴又は開口部２２６に隣接した又はこれに沿うことができる第２の穴又は開口部２２８、及び第３の開口部２３０を含む。
【００４６】
第１のコード２０２は首パッド１８６を通って延び、首パッド１８６に摺動させて又は固定して止めることができる。バックル２０８は、第１のコード２０２の第１の端部上に位置決めされ、第１の末端キャップ２１６は、第１のコード２０２の第２の端部上に位置決めされる。バックルレシーバ２１０は、第２のコード２０４の第１の端部上に位置決めされ、バックル２０８は、バックルレシーバ２１０と嵌合するように構成される。第２の末端キャップ２１８は、第２のコード２０４の第２の端部上に位置決めされる。第１のコード２０２が第１の穴２２６を通って延び、第２のコード２０４が第２の穴２２８を通って延び、従って、インタフェース装置２０６を第１のコード２０２及び第２のコード２０４に固定する。
【００４７】
第１のロック２１２は、インタフェースプレート２２０の一方の側に位置決めされ、第１のコード２０２及び第２のコード２０４を横に並べて又は平行に摺動的に受け入れる。第１の末端キャップ２１６は、製造中に第１のコード２０２の第２の端部に固定され、従って、第１の末端キャップ２１６は、第１のコード２０２が第１のロック２１２から外れないようにするストップとして働く。第２のロック２１４は、第１の側面とは反対のインタフェースプレート２２０の第２の側に位置決めされ、第２のロック２１４は、第１のコード２０２及び第２のコード２０４を横に並べて又は平行に摺動的に受け入れる。第２の末端キャップ２１８は、製造中に第２のコード２０４の第２の端部に固定され、従って、第２の末端キャップ２１８は、第２のコード２０４が第２のロック２１４から外れないようにするストップとして働く。第１のロック２１２及び第２のロック２１４は、摩擦によって第１のコード２０２及び第２のコード２０４上に固定される。第１の解除ボタン２３２を押すことにより、第１のコード２０２及び第２のコード２０４上の摩擦が減り、それによって第１のロック２１２が第１のコード２０２及び第２のコード２０４上で摺動することができる。同様に、第２の解除ボタン２３４を押すことにより、第２のロック２１４は、第１のコード２０２及び第２のコード２０４上を摺動することができる。第１の解除ボタン２３２及び第２の解除ボタン２３４を押すことにより、着用者の首の回りに延びる支持システム２００の一部分の長さを調節することができる。長さが必要に応じて調節された状態で、バックル２０８をバックルレシーバ２１０から外せることにより長さを固定されたままにすることができ、長さに影響を与えることなく着用者の首から支持システム２００の除去を可能にする。
【００４８】
プレート２２２は、クレードル１６のようなクレードルと嵌合するための本明細書に説明した上述のプレートに類似とすることができる。図１６の実施形態において、プレート２２２は、第１の開口部２３６及び第２の開口部２３８を含む。ストラップ２２４が第１の開口部２３６を通ってかつ次に第２の開口部２３８を通って延び、ストラップ２２４の第１のループ２４０は、ストラップ２２４に沿って戻って延び、本明細書の他の箇所で説明したファスナに類似とすることができるファスナ２４４によってストラップ２２４に固定される。ストラップ２２４はまた、第３の開口部２３０を通って延び、第２のループ２４２がストラップ２２４に沿って戻って延び、本明細書の他の箇所で説明したファスナに類似とすることができるファスナ２４６によってストラップ２２４に固定される。
【００４９】
支持システム２００の利点の中でも、支持システム２００が着用者の首上に位置付けられている間に、第１のロック２１２、第２のロック２１４、第１のコード２０２、及び第２のコード２０４によって容易に長さを調節する機能、及びバックルレシーバ２１０からバックル２０８を外すことによって支持システム２００を外せることによって長さを固定させる機能がある。
【００５０】
図１７は、本発明の開示の例示的実施形態によるコードインタフェース２５０の図である。コードインタフェース２５０は、図１６に示すインタフェースプレート２２０の代わりに使用することができる。コードインタフェース２５０は、第２のコード２０４を図１６に示すインタフェースプレート２２０の横に並んだ構成に比べて縦に延びる構成で受け入れるように構成された第１の開口部２５２及び第１のコード２０２を受け入れるように構成された第２の開口部２５４を含む。コードインタフェース２５０は、更に、インタフェースプレート２２０の第３の開口部２３０と同様にストラップ２２４が貫通して延びるように構成された第３の開口部２５６を含む。この構成の１つの利益は、第１のコード２０２及び第２のコード２０４の経路指定を単純にすることができること及び図１６の構成よりも見た目が良いことである。
【００５１】
図１８は、図１５及び図１６の特徴を組み合わせた支持システム４４０の一部分の図である。支持システム４４０の要素は上述のように機能する。
【００５２】
図１９は、本発明の開示の例示的実施形態による支持システム４５０の一部分の図である。支持システム４５０は、第１の首紐部分４５２、第２の首紐部分４５４、第３の首紐部分４５６、接続部４５８、ストラップ４６４、及びプレート２２のようなプレートを含む。第１のバックルアセンブリ４６０は、支持システム４５０が着用者の首の回りに位置決めされ、かつ取り外せるように第２の首紐部分４５４から第１の首紐部分４５２を切り離すように構成される。第２のバックルアセンブリ４６２は、第２の首紐部分４５４及び第３の首紐部分４５６の長さを調節するように構成され、従って、支持システム４５０の全体の長さを調節する。接続部４５８は、縫い合わせ、ヒートステーキング、圧着、接着、又は他に締結することで、第１の首紐部分４５２、第３の首紐部分４５６、及びストラップ４６４に互いに固定することができる。他の実施形態にあるように、ストラップ４６４は、プレート２２を貫通してループし、かつそれを支持するように構成される。標準的なネックレスをバックル又は調節なしで使用することができること、標準的ネックレスはインタフェース４６４及びプレート２２を有することが好ましいことを理解しなければならない。この実施形態において、調節がないので、ネックレスの長さは、ユーザの心臓領域にクレードル１６を位置決めする長さであるのが好ましく、この実施形態では長さはユーザの身長によって決定される。
【００５３】
図２０は、説明を分かり易くかつ単純にするためにクレードルを取り外した本発明の開示の別の例示的実施形態による支持システム２６０の一部分の図である。支持システム２６０は、プレート２６４を支持するネックレス２６２として構成される。ネックレス２６２は、ユーザ２７６の首２７４の周りに延びる。プレート２６４は、クレードル１６の磁石９８のようなクレードルの磁石にインタフェースで連結するように構成される。支持システム２６０は、更に、ネックレス２６２上に支持され、かつループ２７０を形成するためにスナップのような脱接続可能なファスナ２６８によってネックレス２６２に固定されるストラップ２６６を含む。ループ２７０を使用して、イアバッド又はイアホン２７２のワイヤを固定又は支持することができる。
【００５４】
図２１は、本発明の開示の例示的実施形態による電子デバイス１８を保持するクレードル１６の図である。図１７の構成は、イアバッド又はスピーカ１２２と、イアバッドをクレードル１６のコネクタ１１４に接続するように位置決めされた延長コード又はケーブル２８０とを含む。片方のイアホンコード１２２を図１及び７に示すようなクレードル１６のコネクタ１１４に直接に接続することができ、この実施形態では延長コードは必要ないことを理解しなければならない。
【００５５】
図２２及び２３は、本発明の開示の更に別の例示的実施形態による支持システム２９０の図である。支持システム２９０は、シャツのようなウェアラブル物品２９４の内部に固定して位置決めされるように構成され、かつポケット２９６に入れることができる磁石２９２を含む。電子デバイス１８、又は電子デバイス１８のケースは、強磁性プレート又は磁石２９８を密着させるように構成される。磁石２９２は、ファスナ、接着剤、固定可能ポケット、又は他の構成によってウェアラブル物品２９４の内部に固定することができる。プレート又は磁石２９８が磁石２９２に近づいた時に、２つの磁石が互いに引き付け合い、磁力がウェアラブル物品２９４上の電子デバイス１８を支持することになる。
【００５６】
図２４及び２５に示す別の例示的実施形態において、支持システム４７０は、内部金属プレート又は磁石４７６を位置決めした内部ポケット４７４を含むように構成されたシャツ、セーター、Ｔシャツ、ジャケットのようなウェアラブル物品４７２を含む。別の磁石４７８を備えた電子デバイス４８０が構成される。磁石４７８が内部金属プレート又は磁石４７６に近い時に、磁石４７８が電子デバイス４８０を内部金属プレート又は磁石４７６に固定し、従って、ウェアラブル物品４７２に固定する。クレードル１６の磁石９８をポケット４７４内の磁石４７６に固定することができることを理解しなければならない。
【００５７】
図２６は、本発明の開示の更に別の例示的実施形態による支持システム３００の図である。支持システム３００は胸バンドとして構成され、調節可能又は格納可能なバンド３０２を含む。バンド３０２は、バンドインタフェース３０４を支持し、バンドインタフェース３０４は、例えば、バンドインタフェース３０４に固定された磁石又はプレート３０８に対するクレードル１６の磁石９８の磁力によってクレードル１６をバンドインタフェース３０４に固定するためにクレードル１６の外部形状に嵌合するように構成された内部形状３０６を含む。
【００５８】
図２７及び２８は、Ｔシャツ、シャツ、セーター、ジャケットなどとすることができるウェアラブル物品４９２の下に位置決めされた図２６の胸ストラップ支持システム３００を含む支持システム４９０の図である。クレードル１６は、バンドインタフェース３０４の磁石３０８の領域に位置決めすることができ、それによってクレードル１６の金属プレート２２２が磁石３０８に引き付けられ、従って、支持システム３００上でクレードル１６を支持する。
【００５９】
図２９及び３０は、本発明の開示の更に別の例示的実施形態による支持システム３１０の一部分の図である。支持システム３１０は、前面外部カバーリング３１２及び後面外部カバーリング３１４を含むベルトとして構成される。支持システム３１０は支持ベース３１６を含む。支持ベース３１６は、前面外部カバーリング３１２と後面外部カバーリング３１４の間に固定された第１のプレート３１８を含む。支持ベース３１６は、更に、強磁性材料又は希土類磁石材料から作られる第２のプレート３２０を含む。第２のプレート３２０は支持ベース３１６に取り付けるか又は締結することができ、又は支持ベース３１６の一部として一体化して形成することができる。第２のプレート３２０は、クレードル１６のようなクレードルにインタフェースで連結するように構成され、プレート２２と類似の寸法にされる。
【００６０】
図３１Ａ−Ｃは、本発明の開示の例示的実施形態により支持クレードル１６及び電子デバイス１８が位置決めされたオフセット位置で着用者の胸上に位置決めされた支持ベース３３０の図である。図３１Ｄ−Ｆは、本発明の開示の例示的実施形態により支持クレードル１６及び電子デバイス１８が位置決めされた中心位置で着用者の胸上に位置決めされた支持ベース３３０の図である。支持ベース３３０は、図２１及び２２の支持ベース３１６に類似である。しかし、支持ベース３３０は、着用者の皮膚に直接固定されるように構成される。支持ベース３３０は、皮膚への取り付けを可能にするように構成された第１の側面３３２と、クレードル１６の磁石９８にインタフェースで連結するようなサイズ及び寸法にされた強磁性又は希土類磁石の第２の側面３３４とを含む。医療目的（例えば、心電図電極）に使用されるような接着面を使用して、支持ベース３３０をユーザ又は着用者の皮膚に固定することができる。
【００６１】
図３２は、本発明の開示の例示的実施形態による電子デバイス５０２を保持する別の支持システム５００の斜視図である。支持システム５００は、電子デバイス５０２を保持するための特定の寸法から構成される。従って、支持システム５００は、特定の電子デバイス５００に合わせたサイズ及び寸法にされる。支持システム５００は、電子デバイス５０２の除去を可能にするために押さなければならない底面保持器５０４、側面保持器５０６、及び上面保持器５０８を含む。支持システム５００は、後退装置、磁石などを含む本明細書に上述の特徴要素を含む。
【００６２】
図３３−３５は、本発明の開示の例示的実施形態による更に別の支持システム５１０及び電子デバイス５１２の図である。支持システム５００と同様に、支持システム５１０は、特定の電子デバイス５１２に合わせたサイズ及び寸法にされる。支持システム５１０は、支持システム５１０から電子デバイス５１２を取り外せるように押さなければならない第１の側面保持器５１４、第２の側面保持器５１６、及び上面保持器５１８を含む。図３５に示すように、支持システム５１０はまた、第１のハウジング５２２及び第２のハウジング５２４を含む。第１のハウジング５２２は、電子デバイス５１２を固定するために第１の側面保持器５１４及び第２の側面保持器５１６と協働する側面又は側面壁５２０を含む。支持システム５１０は、更に、後退装置又は機構５２６及び磁石５２８を含む。
【００６３】
図３６及び３７は、本発明の開示の例示的実施形態による電子デバイス５３２を保持する更に別の支持システム５３０の図である。支持システム５３０は支持システム５００に類似であるが、ハウジング５３４は、首紐又はネックレスのようなデバイスを取り付ける場合に可撓性を提供するために複数の開口部５３６を含む。
【００６４】
図３８及び３９は、本発明の開示の例示的実施形態によるクレードル３４０及び関連の電子デバイス３４２の図である。電子デバイス３４２はケース３４４内に支持される。クレードル３４０は、上述の後退デバイス３４６及びコネクタ１１６を含む。クレードル３４０は、外側プレート３４８に固定された複数の磁石３４６を含む。ケース３４４は、クレードル３４０上に位置決めされた磁石３４６に嵌合するような寸法的配置でそこに位置決めされた磁石３５０を含む。
【００６５】
図４０及び４１は、本発明の開示の例示的実施形態によるクレードル３６０及び関連の電子デバイス３６２の図である。電子デバイス３６２はケース３６４内に支持される。クレードル３６０は、上述の後退デバイス３６６及びコネクタ１１６を含む。クレードル３６０は、外側プレート３７２に固定された複数の磁石３６８を含む。クレードル３６０は、更に、図２６の例示的実施形態では磁石３６８の間に長手方向に位置決めされた面ファスナ３７０を含む。ケース３６４は、クレードル３６０に位置決めされた磁石３６８に嵌合するような寸法的配置でそこに位置決めされた磁石３７４を含む。磁石３７４が磁石３６８に嵌合した時に、ケース３６４は、更に、面ファスナ３７０と嵌合するように位置決めされた面ファスナ３７６を含む。
【００６６】
図４２は、本発明の開示の例示的実施形態による図２６のクレードル３６０と嵌合するように構成された電子デバイス３８０の図である。電子デバイス３８０は、クレードル３６０に位置決めされた磁石３６８に嵌合するような寸法的配置でそこに位置決めされた磁石３８２を含む。磁石３８２が磁石３６８に嵌合した時に、電子デバイス３８０は、更に、面ファスナ３７０に嵌合するように位置決めされた面ファスナ３８４を含む。
【００６７】
クレードル１６の構成は、プレート２２に嵌合するように構成されたクレードル１６の特徴要素が、世界共通とすることができる装着配置を形成するようなものであることは明らかなはずである。図４３−７５は、クレードル１６にインタフェースで連結するように構成された支持システムの図である。
【００６８】
図４３は、本発明の開示の別の例示的実施形態による支持システム３９０の図である。支持システム３９０は、自動車、飛行機、及び列車のような車両に見られるものを含むテーブル又はトレイに置くことができ、又は取り付けることができるベースとして構成される。支持システム３９０は、クレードル１６の磁石９８とインタフェースで連結するサイズ及び寸法にされた強磁性体又は磁気プレート３９４を含む。磁気プレート３９４は、支持システム３９０に接着、締結、インサート成形、又は他に取り付けることができる。支持システム３９０の開口部３９６は、電気ケーブル３９８の経路指定が電子デバイス１８への取り付けのために便利に位置付けられることを可能にすることができる。
【００６９】
図４４は、本発明の開示の例示的実施形態により車両のフロントガラス４０２又はダッシュボード４０４に嵌合するように構成されたベース４００の図である。ベース４００は、フロントガラス４０２又はダッシュボード４０４に取り付けるための吸引タイプ部分４０６又は接着剤を含むことができる。ベース４００はまた、上述のプレート３９４を特徴とする。
【００７０】
図４５は、本発明の開示の例示的実施形態によるテーブル装着型ベース４１０の図である。ベース４１０は、複数のプレート３９４を含み、各々がクレードル１６に嵌合するように構成される。従って、複数のユーザがいる環境では、ベース４１０は、複数の電子デバイスの便利な位置決めを可能にする。
【００７１】
図４６は、本発明の開示の例示的実施形態による壁装着型ベース４２０の図である。壁装着型ベース４２０は、トイレのような電子デバイスが使用されるいずれの場所にも位置決めすることができる。壁装着型ベース４２０は、上述のインタフェースプレート３９４を含む。
【００７２】
図４７及び４８は、本発明の開示の例示的実施形態によるクレードル４３０の図である。クレードル４３０は、外向きに横方向に移動する支持アーム４３２を含む。クレードル４３０の背面部分は、磁石９８を含むクレードル１６の部分に類似の特徴を含む。従って、クレードル４３０は、本明細書に説明する様々なベースに全世界的に装着することができる。
【００７３】
説明を容易かつ単純にするために、強磁性金属プレート又は磁石は、要素５３８として以下の実施形態の各々に説明される。しかし、寸法及び材料の変形を含む強磁性金属プレート又は磁石５３８を各実施形態で異なるものにすることができることを理解しなければならない。更に、プレート５３８として単純に以下に説明する強磁性プレート又は磁石５３８とクレードル１６のようなクレードルに位置決めされた関連の強磁性プレート又は磁石との間の磁力の力は、上述したものかつ以下に説明するものを含むあらゆる特定の実施形態の用途かつ機械的機能の点から構成されることを理解しなければならない。そのような磁力の力は、約０．５ポンドから約９ポンドの範囲とすることができる。
【００７４】
図４９は、本発明の開示の例示的実施形態による支持システム５４０の一部分の図である。支持システム５４０は、着脱式インタフェース本体５４２及び叉型ベース５４４を含む。叉型ベース５４４は、受け入れ特徴要素５４８に嵌合し、かつインタフェース本体５４２内にロックされる係合ピン５４６を含むことができる。ロックを外すために、インタフェース本体５４２は解除ボタン５５０を含む。支持システム５４０は、図５１に示すように車両通気口５５４のルーバー５５２に位置決めすることができる。支持システム５４０を通じて、適切な面にインタフェース本体５４２を取り付けるのに使用することができる両側面上の接着剤を含む接着プレート５５６を叉型ベース５４４に位置決めすることができる。
【００７５】
図５０は、本発明の開示の例示的実施形態による支持システム５６０の一部分の図である。支持システム５６０は、ロッキング構成で叉型ベース５６４の係合ピン５６６に係合するように構成されたインタフェース本体を含む。叉型ベース５６４はまた、叉型ベース５６４からインタフェース本体５６２を取り外すための解除ボタン５６８を含む。インタフェース本体５６２はまた、適切な面にインタフェース本体５６２を直接取り付けられるように接着性の面５７０によって構成することができる。
【００７６】
図５２−５４は、本発明の開示の例示的実施形態によるリーフレットディスペンサ５８０の図である。図から分るように、リーフレットディスペンサ５８０は、プレート５３８上にタブレット又は他の電子デバイスを支持するように構成される。
【００７７】
図５５−５７は、本発明の開示の例示的実施形態によるリーフレットディスペンサ５９０の図である。図から分るように、リーフレットディスペンサ５８０は、プレート５３８上にタブレット又は他の電子デバイスを支持するように構成される。
【００７８】
図５８−６１は、本発明の開示の例示的実施形態によるクランプ装置６００の図である。クランプ６００は、クランプ本体６０２、第１の格納可能アーム６０４、第１の格納可能アーム６０４上で第１のヒンジ６０８によって支持された第１の折り畳みアーム６０６、第２の格納可能アーム６１０、及び第２の格納可能アーム６１０上で第２のヒンジ６１４によって支持された第２の折り畳みアーム６１２を含む。第１の折り畳みアーム６０６は、第１のクランプパッド６１６を含むように構成することができ、第２の折り畳みアーム６１２は、第２のクランプパッド６１８を含むように構成することができ、この各々は、面上の第１のクランプパッド６１６の滑りを低減する摩擦係数を有することができる。そのような摩擦係数は、例えば、最小でも０．５とすることができる。第１の格納可能アーム６０４及び第２の格納可能アーム６１０の各々は、クランプ本体６０２内で１又は２以上の付勢バネ６２０によって付勢して後退させることができ、付勢バネの各々は、クランプ本体６０２内に形成された第１のストップ６２２とそれぞれの格納可能アーム６０４又は６１０の内側端部上に形成された第２のストップ６２４との間に位置決めされる。
【００７９】
クランプ装置６００が図５８に示すように構成された時に、クランプ装置は、図５９に示す座席６２６のような特徴要素に位置決めされて固定することができる。対照的に、第１の折り畳みアーム６０６は、第１の格納可能アーム６０４及びクランプ本体６０２に沿って位置決めされるように第１のヒンジ６０８の周りで回転することができ、第１の格納可能アーム６０４は、クランプ本体６０２内に少なくとも部分的に位置決めすることができ、第２の折り畳みアーム６１２は、第２の格納可能アーム６１０及びクランプ本体６０２に沿って位置決めされるように第２のヒンジ６１４の周りで回転することができ、第２の格納可能アーム６１０は、クランプ本体６０２内に少なくとも部分的に位置決めすることができる。従って、クランプ装置は、格納のために図６１に示すようにコンパクトであるように構成することができる。
【００８０】
図６２−７０は、本発明の開示の例示的実施形態によるヒンジ式クランプ装置６３０の図である。ヒンジ式クランプ装置６３０は、ベース６３２、外側プレート６３４、ベース６３２に対する外側プレート６３４の動きを可能にするヒンジ６３６、及び複数の歯６３８を含む。従って、ヒンジ式クランプ装置６３０は、図６５に示すストラップ６４０のような複数の比較的薄い物品上に把持することができる。クランプ装置６３０は、更に、外側プレート６３４が歯６３８を通じてベース６３２に直接に接触している第１の位置から複数の歯６３８がベース６３２から離間して位置する第２の位置６４２まで外側プレート６３４を動かせるようにする圧迫プレート６４４を含む。ベース６３２は、図６７に示すように、例えば、クレードル１６の磁石９８に嵌合するように構成される。従って、クランプ装置６３０は、例えば、ヘッドバンド、ヘルメット、キャップ、図６８に示すハット６４６のような頭部に装着するギア、図６９に示すシャツ６４８、図７０に示すストラップ又はベルト６５０、バックパック（図示せず）の一部分、又は身体で持ち運ぶ又は身体に身に着けるあらゆる他の物品のようなウェアラブル物品上で電子デバイス１８を支持することができる。
【００８１】
図７１は、本発明の開示の例示的実施形態による支持装置６６０の図である。支持装置６６０は、支持ベルト又はストラップ６６４上に摺動的に位置決めされた摺動ベース６６２を含む。摺動ベース６６２は、クレードル１６の磁石９８にインタフェースで連結するように構成される。
【００８２】
図７２−７４は、本発明の開示の例示的実施形態によるクランプ６７０の図である。クランプ６７０は、エラストマーのような柔軟又は収縮可能材料から作られる。クランプ６７０は、第１のバンド６７２、第２のバンド６７４、及び第１のバンド６７２と第バンド６７４の間に位置決めされ、かつそれに接続された中央領域６７６を含む。クランプ６７０は、中央領域６７６が電子デバイス１８の上部部分６７８に接触した時に、第１のバンド６７２が、第２の延長可能支持体５８の下の区域にあるクレードル１６の第２のアーム５６に接触するように位置決めされ、第２のバンド６７４が、第１の延長可能支持体５２の下の区域にあるクレードル１６の第１のアーム５０に接触するように位置決めされるように構成される。この構成では、クランプ６７０がクレードル１６上に電子デバイス１８を固定する。換言すると、クランプ６７０を置くことで、電子デバイス１８は、クランプ６７０が取り除かれるまでクレードル１６から取り外せない。クランプ６７０の利点は、クレードル１６を電子デバイス１８がクレードル１６から飛び出すリスクを最小にして上下を含むいずれの向きでも使用することができるようにすることである。図７３は、電子デバイス１８をクランプ装置６３０に固定するクランプ６７０を備えたハット６８０上に位置決めされた支持装置６６０を示している。
【００８３】
図７５−７９は、本発明の開示の例示的実施形態による支持システム６９０の図である。支持システム６９０は、伸縮可能支持ベース６９２を含む。支持ベース６９２は、第１のアーム６９４、第２のアーム６９６、及びプルタブ７０８を更に含む。第１のアーム６９４は、第２のアーム６９６に形成又は位置決めされたファスナ７１０を受け入れるか又は嵌合するように構成された複数の開口部又は穴７１２を含む。支持システム６９０は、更に、支持ベース６９２に支持された格納機構６９８を更に含む。イアホン７００は、格納機構６９８上で格納可能に支持される。イアホンコネクタコード７０２はまた、格納機構６９８から延びて電子デバイス１８に位置決めされた適切なコネクタと嵌合する。支持システム６９０は、更に、格納機構６９８に一体になって形成された底面保持器７０４及び上面保持器７０５を含む。底面保持器７０４及び上面保持器７０６は、離間距離に位置決めされ、かつ支持ベース６９２上で電子デバイス１８を支持するように構成される。
【００８４】
格納機構６９８は、底面保持器７０４に一体化して形成されたスライド７１６と嵌合するスライドチャネル７１８を含む格納機構ベース７１４上に支持される。電子デバイスを支持システム６９０に設置するか又は取り外すために、プルタブ７０８が下向きに引かれ、底面保持器７０４を上面保持器７０６から離し、上面保持器７０６と底面保持器７０４の間の離間距離を増大して電子デバイス１８を上面保持器７０６又は底面保持器７０４又は両方から取り外せるようにし、支持システム６９０からの電子デバイス１８の除去を可能にする。
【００８５】
支持ベース６９２は、更に、下側開口部７２４及び上側開口部７２６を含む。底面保持器７０４とスライド７１６の間に位置決めされた下側プレート７２０は、下側開口部７２４から延びるように構成され、格納機構ベース７１４と格納機構６９８の間を延びる上側プレート７２２は、上側開口部７２６を通って延びるように構成され、従って、支持ベース６９２上に格納機構６９８及び底面保持器７０４を支持する。
【００８６】
図７７−７９は、支持システム６９０が作動することができる方法を示している。図７７では、ファスナ７１０を嵌合開口部７１２に固定することによって支持システム６９０が着用者の首の回りに固定される。図７８では、着用者は、支持システム６９０上に支持されている間に電子デバイス１８を見る及び／又は作動させることができるように電子デバイス１８を回転させている。図７９では、着用者は、ある一定の作動の便宜のために支持システム６９０から電子デバイス１８を取り外している。
【００８７】
図８０及び８１は、本発明の開示の例示的実施形態による支持システム７３０の図である。支持システム７３０は、ヘッドバンド７３２とヘッドバンド７３２上に位置決めされた強磁性又は磁気プレート７３４とを含む。プレート７３４は、クレードル１６、例えば、クレードル１６の磁石９８に嵌合するように構成される。ヘッドバンド７３２は、電子デバイス１８のような電子デバイスを脳の放射線敏感区域から離れた位置で着用者の頭部７３８の後部７３６に位置決めする。
【００８８】
本明細書に説明する様々なデバイス、装置などからキットを形成することができる。そのようなキットは、例えば、バンドインタフェース３０４、プレート２６４を含むネックレス２６２、延長コード又はケーブル２８０、及びイアバッド１２２を含む支持システム（胸ストラップ）３００を含むことができると考えられる。
【００８９】
本発明の開示の様々な実施形態を図示かつ説明したが、これらの実施形態がこれに制限されないことを理解しなければならない。実施形態は、当業者によって変更、修正、及び更に応用することができる。従って、これらの実施形態は、図示して上述した詳細に制限されず、むしろ、全てのそのような変形及び修正を含む。説明した各実施形態及び説明した各図の各部分は、一実施形態を形成するために組み合わせることができ、この組み合わせた実施形態は、本発明の開示の範囲にあることを理解しなければならない。
【符号の説明】
【００９０】
１０  支持システム
１２  ウェアラブル物品
１４  インタフェース部分
１６  クレードル
１８  電子デバイス
【図１】
2018503314.tif 000003
【図２】
2018503314.tif 000004
【図３】
2018503314.tif 000005
【図４】
2018503314.tif 000006
【図５】
2018503314.tif 000007
【図６】
2018503314.tif 000008
【図７】
2018503314.tif 000009
【図８】
2018503314.tif 000010
【図９】
2018503314.tif 000011
【図１０】
2018503314.tif 000012
【図１１】
2018503314.tif 000013
【図１２】
2018503314.tif 000014
【図１３】
2018503314.tif 000015
【図１４】
2018503314.tif 000016
【図１５】
2018503314.tif 000017
【図１６】
2018503314.tif 000018
【図１７】
2018503314.tif 000019
【図１８】
2018503314.tif 000020
【図１９】
2018503314.tif 000021
【図２０】
2018503314.tif 000022
【図２１】
2018503314.tif 000023
【図２２】
2018503314.tif 000024
【図２３】
2018503314.tif 000025
【図２４】
2018503314.tif 000026
【図２５】
2018503314.tif 000027
【図２６】
2018503314.tif 000028
【図２７】
2018503314.tif 000029
【図２８】
2018503314.tif 000030
【図２９】
2018503314.tif 000031
【図３０】
2018503314.tif 000032
【図３１Ａ】
2018503314.tif 000033
【図３１Ｂ】
2018503314.tif 000034
【図３１Ｃ】
2018503314.tif 000035
【図３１Ｄ】
2018503314.tif 000036
【図３１Ｅ】
2018503314.tif 000037
【図３１Ｆ】
2018503314.tif 000038
【図３２】
2018503314.tif 000039
【図３３】
2018503314.tif 000040
【図３４】
2018503314.tif 000041
【図３５】
2018503314.tif 000042
【図３６】
2018503314.tif 000043
【図３７】
2018503314.tif 000044
【図３８】
2018503314.tif 000045
【図３９】
2018503314.tif 000046
【図４０】
2018503314.tif 000047
【図４１】
2018503314.tif 000048
【図４２】
2018503314.tif 000049
【図４３】
2018503314.tif 000050
【図４４】
2018503314.tif 000051
【図４５】
2018503314.tif 000052
【図４６】
2018503314.tif 000053
【図４７】
2018503314.tif 000054
【図４８】
2018503314.tif 000055
【図４９】
2018503314.tif 000056
【図５０】
2018503314.tif 000057
【図５１】
2018503314.tif 000058
【図５２】
2018503314.tif 000059
【図５３】
2018503314.tif 000060
【図５４】
2018503314.tif 000061
【図５５】
2018503314.tif 000062
【図５６】
2018503314.tif 000063
【図５７】
2018503314.tif 000064
【図５８】
2018503314.tif 000065
【図５９】
2018503314.tif 000066
【図６０】
2018503314.tif 000067
【図６１】
2018503314.tif 000068
【図６２】
2018503314.tif 000069
【図６３】
2018503314.tif 000070
【図６４】
2018503314.tif 000071
【図６５】
2018503314.tif 000072
【図６６】
2018503314.tif 000073
【図６７】
2018503314.tif 000074
【図６８】
2018503314.tif 000075
【図６９】
2018503314.tif 000076
【図７０】
2018503314.tif 000077
【図７１】
2018503314.tif 000078
【図７２】
2018503314.tif 000079
【図７３】
2018503314.tif 000080
【図７４】
2018503314.tif 000081
【図７５】
2018503314.tif 000082
【図７６】
2018503314.tif 000083
【図７７】
2018503314.tif 000084
【図７８】
2018503314.tif 000085
【図７９】
2018503314.tif 000086
【図８０】
2018503314.tif 000087
【図８１】
2018503314.tif 000088
【国際調査報告】
2018503314.tif 000089
2018503314.tif 000090
2018503314.tif 000091
2018503314.tif 000092
2018503314.tif 000093